(57)【特許請求の範囲】
【請求項１】
ベース板１の一方端部の第１軸受板部２に操作レバー３の基端部を第１枢軸４によって連結し、操作レバー３の中間部に形成した長さ方向のスロット５に嵌挿した第２枢軸６によって掛金アーム７の基端部を操作レバー３に連結し、掛金アーム７の先端掛け部８が受金９に係合した掛止め施錠状態において、第２枢軸６が先端掛け部８と第１枢軸４を通る基準直線Lよりもベース板１の側に来るように第１枢軸４と第２枢軸６を配置し、第２枢軸６が第１枢軸４から遠ざかる方向に第１バネ部材１０によって移動付勢し、ベース板１の他方端部の第２軸受板部１１にフックレバー１２を第３枢軸１３によって連結し、フックレバー１２の先端フック部１４が出入りする係止受孔１５を操作レバー３の先端部に形成し、フックレバー１２の先端フック部１４の根元部分であって第２枢軸６に面した側面部にバネ受け突起１７を形成し、前記掛止め施錠状態において前記係止受孔１５から操作レバー３の表面側に突き出る先端フック部１４が、第２枢軸６とは反対側の側面部にて係止受孔１５の表側孔縁部１５ａに係合するように第２バネ部材１６によってフックレバー１２を回転付勢し、第２バネ部材１６を捻りコイルバネによって構成し、コイル部分１６ａを第３枢軸１３に嵌め合わせ、一方の直線端部１６ｂをベース板１の端部上面に当接させ、第２バネ部材１６の他方の直線端部１６ｃの先端曲げ部分１６ｄを前記バネ受け突起１７に下面側から係合させ、フックレバー１２の先端フック部１４と係止受孔１５の孔縁部１５ａとの係合を解除するに当たって、フックレバー１２を第３枢軸１３の周りに第２枢軸６の側へ回転させるようにした掛金装置。
【発明の詳細な説明】
【０００１】
【発明の属する技術分野】
本発明は、機器収納ボックス等に使用される掛金装置に関するものである。
【０００２】
【従来の技術】
従来の掛金装置では、ベース板の一方端部に突設した軸受板部に操作レバーの基輔部を第１枢軸によって連結し、掛金アームの基端部を第２枢軸によって操作レバーの中間部に連結し、掛金アームの先端フック部が受金に係合した掛止め施錠状態において、第２枢柚が受金と第１枢軸を通る基準直線よりもベース板の側に来るように第１枢軸と第２枢軸を配置している（例えば、特許文献１参照。）。
【０００３】
この従来装置では、操作レバーをベース板に錠止する手段を備えていないため、操作レバーの先端部に他の器物が衝突等して、操作レバーが第１枢軸を中心に浮き上がり回転させられたときには、掛金アームと受金の係合が無意図的に解かれて、固定フレームに対するウィング体の掛止め施錠が偶発的に解除される危険性がある。
【０００４】
ベース板のガイド板部のスロットにロックプレートをベース板に沿って移動可能に嵌挿し、操作レバーに受金プレートを固設し、前記ロックプレートの張り出し板部を受金プレートの錠止板部の錠止切欠に係合させることによって、操作レバーをベース板に錠止するようにしたものがあるが（特許文献２参照。）、構造が複雑であるため、製作コストが嵩むものであった。
【０００５】
【特許文献１】
実開昭６１−１７６３７５号公報
【特許文献２】
特許第２５９００４８号公報
【０００６】
【発明が解決しようとする課題】
従って本発明の課題は、簡略構造の操作レバーと係脱するフックレバーを備えているため、操作レバーの先端部に他の器物が衝突等しても掛止め施錠が偶発的に解除されないとともに、フックレバーの起伏回転動作が安定したバネ力によって的確になされる掛金装置を提供することである。
【０００７】
【課題を解決するための手段】
以下、添付図面中の参照符号を用いて説明すると、本発明の掛金装置では、ベース板１の一方端部の第１軸受板部２に操作レバー３の基端部を第１枢軸４によって連結し、操作レバー３の中間部に形成した長さ方向のスロット５に嵌挿した第２枢軸６によって掛金アーム７の基端部を操作レバー３に連結し、掛金アーム７の先端掛け部８が受金９に係合した掛止め施錠状態において、第２枢軸６が先端掛け部８と第１枢軸４を通る基準直線Ｌよりもベース板１の側に来るように第１枢軸４と第２枢軸６を配置し、第２枢軸６が第１枢軸４から遠ざかる方向に第１バネ部材１０によって移動付勢し、ベース板１の他方端部の第２軸受板部１１にフックレバー１２を第３枢軸１３によって連結し、フックレバー１２の先端フック部１４が出入りする係止受孔１５を操作レバー３の先端部に形成し、フックレバー１２の先端フック部１４の根元部分であって第２枢軸６に面した側面部にバネ受け突起１７を形成し、前記掛止め施錠状態において前記係止受孔１５から操作レバー３の表面側に突き出る先端フック部１４が、第２枢軸６とは反対側の側面部にて係止受孔１５の表側孔縁部１５ａに係合するように第２バネ部材１６によってフックレバー１２を回転付勢し、第２バネ部材１６を捻りコイルバネによって構成し、コイル部分１６ａを第３枢軸１３に嵌め合わせ、一方の直線端部１６ｂをベース板１の端部上面に当接させ、第２バネ部材１６の他方の直線端部１６ｃの先端曲げ部分１６ｄを前記バネ受け突起１７に対して下面側から係合させ、フックレバー１２の先端フック部１４と係止受孔１５の孔縁部１５ａとの係合を解除するに当たって、フックレバー１２を第３枢軸１３の周りに第２枢軸６の側へ回転させるものである。
【０００８】
【発明の作用】
使用に当たってベース板１は例えば機器ボックスなどの固定枠体１８に固着され、受金９は扉などのウィング体１９に固着される。ウィング体１９が閉鎖されて固定枠体１８に掛止め施錠されているときには、操作レバー３はベース板１に向かって倒伏され、図４に示したように第２枢軸６は受金９と第１枢軸４を通る基準直線Ｌよりもベース板１の側に来ている。このとき、操作レバー３は第１バネ部材１０によって第１枢軸４を中心として図４において時計回り方向に回転付勢されており、操作レバー３は倒伏状態に保持される。
【０００９】
さらにまた、フックレバー１２の先端フック部１４は操作レバー３の係止受孔１５から操作レバー３の表面側に突き出ており、先端フック部１４が第２枢軸６とは反対側の側面部にて係止受孔１５の表側孔縁部１５ａに係合している。この先端フック部１４と操作レバー３の係合が第２バネ部材１６の回転付勢によって保持されるため、操作レバー３は倒伏状態に維持される。
【００１０】
掛止め施錠を解除してウィング体１９を開放操作するには、操作レバー３の表面側に突き出ているフックレバー１２の先端フック部１４に指を掛けて、先端フック部１４が係止受孔１５の表側孔縁部１５ａから離脱するように第２バネ部材１６の付勢に抗して第３枢軸１３を中心に退避回転させる。
【００１１】
この退避回転後または退避回転と併行して、第１１バネ部材１０の前記回転付勢に抗して操作レバー３を第１枢軸４を中心に引き上げ回転させる。第２枢軸６が基準直線Ｌを越えた瞬間に第１バネ部材１０による回転付勢の方向が反転することになる。
【００１２】
ベース板１に対して操作レバー３が一定角度以上引き上げられると、掛金アーム７が受金８から離れるように傾斜回動させられ、掛金７の先端掛け部８が受金９から完全に離脱する。これによって固定枠体１８に対するウィング体１９の掛止め施錠が解除され、ウィング体１９は操作レバー３あるいは他に用意された取手を引くことによって開放操作される。
【００１３】
所要の作業終了後、ウィング体１９を開鎖操作してから、操作レバー３を第１枢軸４を中心に押し下げ回転すると、掛金アーム７の先端掛け部８が固定枠体１８の正面板部に摺接しながら受金９に接近して係合し、第２枢軸６が受金９と第１枢軸４を通る直線よりもベース板１側に来たときに、先端掛け部８が受金９に深く係合し、ウィング体１９が固定枠体１８に対して掛止め施錠される。
【００１４】
この操作レバー３の押し下げ回転の最終段階で、操作レバー３の係止受孔１５にフックレバー１２の先端フック部１４が入り込み、係止受孔１５の裏側孔縁部１５ｂが先端フック部１４を押すことによって、フックレバー１２は、先端フック部１４が係止受孔１５を通り抜けるように第３枢軸１３を中心として第２バネ部材１６に抗して退避回転する。
【００１５】
操作レバー３が掛止め施錠の成立位置まで押し下げられたとき、フックレバー１２の先端フック部１４は操作レバー３の表面側に突き出ており、先端フック部１４が第２枢軸６とは反対側の側面部にて係止受孔１５の表側孔縁部１５ａに係合することによって、操作レバー３は倒伏状態に保持することになる。
【００１６】
フックレバー１２が起伏回転動作して操作レバー１３と係脱するとき、捻りコイルバネよりなる第２バネ部材１６は、コイル部分１６ａが第３枢軸１３に嵌め合わせられ、一方の直線端部１６ｂがベース板１の端部上面に当接させられている一方、他方の直線端部１６ｃの先端曲げ部分１６ｄが前記バネ受け突起１７に下面側から係合させられているので、該先端曲げ部分１６ｄがフックレバー１２との当接点をフックレバー１２の長さ方向に沿っていたずらに変更することがなく、フック部材１２に対する第２バネ部材１６の着力点が安定する。
【００１７】
【発明の実施の形態】
図示の実施例では、第１軸受板部２はベース板１の一方端部に上下一対に折り曲げ形成され、第２軸受板部１１はベース板１の他方端部に上下一対に折り曲げ形成されている。操作レバー３の上下一体の側壁板部１９には、第１枢軸４が通される軸孔２０と前記スロット５が形成されている。前記係止受孔１５は操作レバー３の主体板部２１に形成されている。掛金７は正面視Ｕ字状に形成されている。
【００１８】
第１バネ部材１０は２本の圧縮コイルバネによって構成されており、各圧縮コイルバネは第１バネ受金具２２の帯板状ガイド部２３に嵌められている。第１バネ受金具２２は端面受溝部２４が第１枢軸４に係合している。第２バネ受金具２５は透孔２６にて前記ガイド部２３の先端部に嵌められており、第２バネ受金具２５はバネバネ部材１０の弾性によって第２枢軸６に押し付けられている。第２バネ受金具２５の姿勢保持板部２７は操作レバー３の主体板部２１の裏面に当接している。
【００１９】
第２バネ部材１６はトーションバネによって構成され、そのコイル部に第３枢軸１３が嵌められている。第２バネ部材１６の一端部はフックレバー１２の中間側面部に当接し、第２バネ部材１６の他端部はベース板１に当接している。フックレバー１２の基端部の平坦面１２ａはベース板１の前面に当接することによって、フックレバー１２を起立状態に保持している。
【００２０】
フックレバー１２の先端フック部１４には、操作レバー３の係止受孔１５の裏面側孔縁部１５ｂが当たるカム面１４ａを円弧状に形成してある。
【００２１】
【発明の効果】
以上のように本発明の掛金装置では、ベース板１の他方端部の第２軸受板部１１にフックレバー１２を第３枢軸１３によって連結し、フックレバー１２の先端フック部１４が出入りする係止受孔１５を操作レバー３の先端部に形成し、前記掛止め施錠状態において操作レバー３の表面側に突き出たフックレバー１２の先端フック部１４が第２枢軸６とは反対側の側面部にて係止受孔１５の表側孔縁部１５ａに係合するように第２バネ部材１６によってフックレバー１２を回転付勢してあるため、他の器物の衝突等によって操作レバー３が浮き上がり回転して掛止め施錠が偶発的に解除されることがなく、信頼性高く使用することができる。
このフックレバー１２によるベース板１に対する操作レバー３の錠止機構は、フックレバー１２と第３枢軸１３と第２バネ部材１６とで構成されており、前記従来装置と比べて構造が簡略化されているから、製作コストを節減することができる。
【００２２】
また、本発明では、フックレバー１２の先端フック部１４の根元部分であって第２枢軸６に面した側面部にバネ受け突起１７を形成し、第２バネ部材１６を捻りコイルバネによって構成し、コイル部分１６ａを第３枢軸１３に嵌め合わせ、一方の直線端部１６ｂをベース板１の端部上面に当接させ、他方の直線端部１６ｃの先端曲げ部分１６ｄを前記バネ受け突起１７に下面側から係合させたので、フック部材１２に対する第２バネ部材１６の着力点が定まることになり、フック部材１２の起伏回転動作が常に安定したバネ力によって的確になされる。
さらにまた、第２バネ部材１６の先端曲げ部分１６ｄとフックレバー１２の当接部に対する作業者の指先の接近は、該当接部の上側に形成されているバネ受け突起１７によって阻止されているため、操作レバー３を跳ね上げている状態において、第２バネ部材１６の先端曲げ部分１６ｄとフックレバー１２の間に指先を挟み込む危険性がない。
【図面の簡単な説明】
【図１】  本発明の一実施例に係る掛金装置の施錠状態における正面図である。
【図２】  該掛金装置の背面図である。
【図３】  該掛金装置の底面図である。
【図４】  図１のＡ−Ａ線断面図である。
【図５】  該掛金装置の右側面図である。
【符号の説明】
１  ベース板
２  第１軸受板部
３  操作レバー
４  第１枢軸
５  スロット
６  第２枢軸
７  掛金アーム
８  先端掛け部
９  受金
１０  第１バネ部材
１１  第２軸受板部
１２  フックレバー
１３  第３枢軸
１４  先端フック部
１５  係止受孔
１６  第２バネ部材
【図１】
0003666661.tif 000002
【図２】
0003666661.tif 000003
【図３】
0003666661.tif 000004
【図４】
0003666661.tif 000005
【図５】
0003666661.tif 000006